(57)【要約】【課題】子機をコードレスとしたファクシミリ装置において、子機をなるべく改造することなく、子機から電子メールアドレスの宛先にファクシミリ送信することができるようにしたい。【解決手段】コードレス式の子機を備えたファクシミリ装置において、親機の電話帳には、電子メールアドレスと対応した特殊な電話番号を記憶する記憶部を設け、前記子機から特殊な電話番号がダイヤルされると、それに対応した電子メールアドレスを前記電話帳の記憶部から取出してファクシミリの宛先とする処理部を備えたので、その子機を改造することなく、子機から電子メールアドレス宛にファクシミリ送信を行うことができる。【選択図】      図４
2008079126.tif 000002
【特許請求の範囲】
【請求項１】
ファクシミリ原稿をスキャンし、このスキャンしたデータをネットワークを介して電子メールアドレス宛に送信可能な親機と、この親機を介して通話可能なコードレス式の子機とを備え、更に前記親機に、名前や電話番号や電子メールアドレスが関係付けられて記憶された電話帳を設けたファクシミリ装置において、前記電話帳には、電子メールアドレスと対応した特殊な電話番号を記憶する記憶部を設け、前記子機から特殊な電話番号がダイヤルされ、このダイヤルされた信号を親機が受信すると、その特殊な電話番号に対応した電子メールアドレスを前記電話帳の記憶部から取出してファクシミリの宛先とする処理部を備えたことを特徴とするファクシミリ装置。
【請求項２】
前記親機には、前記電話帳に新規に電子メールアドレスを入力すると前記特殊な電話番号を自動的に割り振り、割り振られたこの特殊な電話番号と名前との２情報を前記子機に送信する送信部を設けたことを特徴とする請求項１に記載のファクシミリ装置。
【請求項３】
前記親機には、前記電話帳に新規に電子メールを入力する際に、送信する画質及び／又はサイズを使用者が指定できる機能と、この指定された画質及び／又はサイズの情報を前記特殊な電話番号に組込む機能とを備えたことを特徴とする請求項１に記載のファクシミリ装置。
【請求項４】
前記親機には、最高画質でスキャンしたファクシミリ原稿のデータを予め保管する記憶部と、前記子機から特殊な電話番号がダイヤルされ、このダイヤルされた信号を親機が受信すると、その特殊な電話番号に対応した電子メールアドレスを前記電話帳の記憶部から取出してファクシミリの宛先とし、予め保管された前記データを、前記特殊な電話番号内で指定された画質及び／又はサイズに変換する制御部とを設けたことを特徴とする請求項３に記載のファクシミリ装置。
【請求項５】
前記親機には、最高画質でスキャンしたファクシミリ原稿のデータを予め保管する記憶部と、前記子機から前記特殊な電話番号と送信したい画質及び／又はサイズを指定する番号がダイヤルされ、このダイヤルされた信号を親機が受信すると、その特殊な電話番号に対応した電子メールアドレスを前記電話帳の記憶部から取出してファクシミリの宛先とし、予め保管された前記データを指定された画質及び／又はサイズに変換する制御部とを設けたことを特徴とする請求項１又は２に記載のファクシミリ装置。
【請求項６】
ファクシミリ原稿をスキャンし、このスキャンしたデータをネットワークを介して電子メールアドレス宛に送信可能な親機と、この親機を介して通話可能なコードレス式の子機とを備え、更に前記親機に、名前や電話番号や電子メールアドレスが関係付けられて記憶された電話帳を設けたファクシミリ装置の送信方法において、前記電話帳には、電子メールアドレスと対応した特殊な電話番号を記憶させ、前記子機から特殊な電話番号がダイヤルされ、このダイヤルされた信号を親機が受信した後、その特殊な電話番号に対応した電子メールアドレスを前記電話帳の記憶部から取出してファクシミリの宛先とし送信することを特徴とするファクシミリ装置の送信方法。
【請求項７】
前記親機の電話帳に新規に電子メールアドレスを入力すると制御部が前記特殊な電話番号を自動的に割り振り、割り振られたこの特殊な電話番号と名前との２情報を前記子機に送信することを特徴とする請求項６に記載のファクシミリ装置の送信方法。
【請求項８】
前記親機の電話帳に新規に電子メールを入力する際に、送信する画質及び／又はサイズを使用者が指定した後、この指定された画質及び／又はサイズの情報を前記特殊な電話番号に組込んだことを特徴とする請求項６に記載のファクシミリ装置の送信方法。
【請求項９】
前記親機に最高画質でスキャンしたファクシミリ原稿のデータを予め保管し、前記子機から特殊な電話番号がダイヤルされ、このダイヤルされた信号を親機が受信すると、その特殊な電話番号に対応した電子メールアドレスを前記電話帳の記憶部から取出してファクシミリの宛先とすると共に、予め保管された前記データを、制御部で前記特殊な電話番号内で指定された画質及び／又はサイズに変換した後、送信することを特徴とする請求項８に記載のファクシミリ装置の送信方法。
【請求項１０】
前記親機に最高画質でスキャンしたファクシミリ原稿のデータを予め保管し、前記子機から前記特殊な電話番号と送信希望の画質及び／又はサイズを指定する番号がダイヤルされ、このダイヤルされた信号を親機が受信した後、その特殊な電話番号に対応した電子メールアドレスを前記電話帳から取出してファクシミリの宛先とし、予め保管された前記データを指定された画質及び／又はサイズに変換して送信することを特徴とする請求項６又は７に記載のファクシミリ装置の送信方法。
【発明の詳細な説明】
【技術分野】
【０００１】
この発明は親機とコードレス式の子機とを備えたファクシミ装置に関し、スキャンした原稿データを電子メールアドレス宛に送信できる方式のファクシミリ装置及びファクシミリ装置の送信方法の改良に関する。
【背景技術】
【０００２】
ファクシミリ装置において、送信すべき原稿を読取部でスキャンし、このスキャンされた原稿の画像データを、電子メールアドレス宛に送信できるようにしたものが知られている（例えば、特許文献１参照）。
【０００３】
【特許文献１】特開２００２−３４４６８８号公報
【発明の開示】
【発明が解決しようとする課題】
【０００４】
また、最近の電話機と同様に、ファクシミリ装置においても、その子機をコードレス式とし、その子機から宛先のファクシミリの番号を押して、ファクシミリ送信することができるものも知られている。
【０００５】
このように、子機をコードレス式としたものでは、一般的にその子機に電子メールアドレスを保存する記憶部がないため、子機の表示部に宛先の電子メールアドレスを表示することも、電子メールアドレスを指定することもできない。従って、子機から電子メールアドレス宛に対しファクシミリを送信することは不可能であった。
【０００６】
このため、電子メールアドレス宛に、ファクシミリ送信をする場合、送信者が親機の元まで行って、親機での操作を行わなければならなかった。
【０００７】
また、子機から電子メールアドレス宛にファクシミリ送信をするためには、子機に、電子メールアドレスを保存する記憶部を設けるなどの改造が必要である。
【０００８】
しかし、コードレス式の子機は、従来の機種、現行の機種、そして次期開発中の機種のように複数世代のファクシミリ装置で共通で使用されることが一般的であるため、また、子機だけを交換したり増設したりすることも一般的であるため、その改造が前記記憶部の追加だけにとどまらず、そのデータの記憶方法や送信の方法など、独自仕様や共通の仕様など、種々のことを検討した上で設計しなければならず、改造が非常に困難になる課題がある。
【０００９】
本発明は、前記課題を解決するためのものであって、コードレス式の子機をなるべく改造することなく、その子機から、電子メールアドレスの宛先にファクシミリ送信できるようにしたファクシミリ装置及びファクシミリ装置の送信方法を提供するものである。
【課題を解決するための手段】
【００１０】
本発明の請求項１に記載のファクシミリ装置は、ファクシミリ原稿をスキャンし、このスキャンしたデータをネットワークを介して電子メールアドレス宛に送信可能な親機と、この親機を介して通話可能なコードレス式の子機とを備え、更に前記親機に、名前や電話番号や電子メールアドレスが関係付けられて記憶された電話帳を設けたファクシミリ装置において、前記電話帳には、電子メールアドレスと対応した特殊な電話番号を記憶する記憶部を設け、前記子機から特殊な電話番号がダイヤルされ、このダイヤルされた信号を親機が受信すると、その特殊な電話番号に対応した電子メールアドレスを前記電話帳の記憶部から取出してファクシミリの宛先とする処理部を備えたものである。
【００１１】
本発明の請求項２に記載のファクシミリ装置は、親機には、前記電話帳に新規に電子メールアドレスを入力すると前記特殊な電話番号を自動的に割り振り、割り振られたこの特殊な電話番号と名前との２情報を前記子機に送信する送信部を設けたものである。
【００１２】
本発明の請求項３に記載のファクシミリ装置は、親機には、前記電話帳に新規に電子メールを入力する際に、送信する画質及び／又はサイズを使用者が指定できる機能と、この指定された画質及び／又はサイズの情報を前記特殊な電話番号に組込む機能とを備えたものである。
【００１３】
本発明の請求項４に記載のファクシミリ装置は、親機には、最高画質でスキャンしたファクシミリ原稿のデータを予め保管する記憶部と、前記子機から特殊な電話番号がダイヤルされ、このダイヤルされた信号を親機が受信すると、その特殊な電話番号に対応した電子メールアドレスを前記電話帳の記憶部から取出してファクシミリの宛先とし、予め保管された前記データを、前記特殊な電話番号内で指定された画質及び／又はサイズに変換する制御部とを設けたものである。
【００１４】
本発明の請求項５に記載のファクシミリ装置は、親機には、最高画質でスキャンしたファクシミリ原稿のデータを予め保管する記憶部と、前記子機から前記特殊な電話番号と送信したい画質及び／又はサイズを指定する番号がダイヤルされ、このダイヤルされた信号を親機が受信すると、その特殊な電話番号に対応した電子メールアドレスを前記電話帳の記憶部から取出してファクシミリの宛先とし、予め保管された前記データを指定された画質及び／又はサイズに変換する制御部とを設けたものである。
【００１５】
本発明の請求項６に記載のファクシミリ装置の送信方法は、ファクシミリ原稿をスキャンし、このスキャンしたデータをネットワークを介して電子メールアドレス宛に送信可能な親機と、この親機を介して通話可能なコードレス式の子機とを備え、更に前記親機に、名前や電話番号や電子メールアドレスが関係付けられて記憶された電話帳を設けたファクシミリ装置の送信方法において、前記電話帳には、電子メールアドレスと対応した特殊な電話番号を記憶させ、前記子機から特殊な電話番号がダイヤルされ、このダイヤルされた信号を親機が受信した後、その特殊な電話番号に対応した電子メールアドレスを前記電話帳の記憶部から取出してファクシミリの宛先とし送信するものである。
【００１６】
本発明の請求項７に記載のファクシミリ装置の送信方法は、前記親機の電話帳に新規に電子メールアドレスを入力すると制御部が前記特殊な電話番号を自動的に割り振り、割り振られたこの特殊な電話番号と名前との２情報を前記子機に送信するものである。
【００１７】
本発明の請求項８に記載のファクシミリ装置の送信方法は、前記親機の電話帳に新規に電子メールを入力する際に、送信する画質及び／又はサイズを使用者が指定した後、この指定された画質及び／又はサイズの情報を前記特殊な電話番号に組込んだものである。
【００１８】
本発明の請求項９に記載のファクシミリ装置の送信方法は、前記親機に最高画質でスキャンしたファクシミリ原稿のデータを予め保管し、前記子機から特殊な電話番号がダイヤルされ、このダイヤルされた信号を親機が受信すると、その特殊な電話番号に対応した電子メールアドレスを前記電話帳の記憶部から取出してファクシミリの宛先とすると共に、予め保管された前記データを、制御部で前記特殊な電話番号内で指定された画質及び／又はサイズに変換した後、送信するものである。
【００１９】
本発明の請求項１０に記載のファクシミリ装置の送信方法は、前記親機に最高画質でスキャンしたファクシミリ原稿のデータを予め保管し、前記子機から前記特殊な電話番号と送信希望の画質及び／又はサイズを指定する番号がダイヤルされ、このダイヤルされた信号を親機が受信した後、その特殊な電話番号に対応した電子メールアドレスを前記電話帳から取出してファクシミリの宛先とし、予め保管された前記データを指定された画質及び／又はサイズに変換して送信するものである。
【発明の効果】
【００２０】
以上説明したように、本発明によれば、次に記載するような効果を奏する。
【００２１】
本発明のファクシミリ装置によれば、子機から特殊な電話番号がダイヤルされると、処理部が、この特殊な電話番号に対応した電子メールアドレスを電話帳の記憶部から取出してファクシミリの宛先とするので、その子機を改造することなく、子機から電子メールアドレス宛にファクシミリ送信を行うことができるという効果がある。
【００２２】
また、本発明のファクシミリ装置の送信方法によれば、子機から特殊な電話番号がダイヤルされると、この特殊な電話番号対応した電子メールアドレスが前記電話帳の記憶部から取出されてファクシミリの宛先とされ送信されるため、その子機を改造することなく、子機から電子メールアドレス宛にファクシミリ送信を行うことができるという効果がある。
【発明を実施するための最良の形態】
【００２３】
本発明について、最初に、その概略について図1に基づき説明する。
【００２４】
図１において、ユーザ（使用者）が、あらかじめＦＡＸ親機（ファクシミリ装置の親機）１００で、入力部１０２から電話帳データを入力し、記憶部１０６に保存されている親機電話帳にレコードを追加、更新する。親機電話帳はレコード番号、名前、電話番号、電子メールアドレスの４情報を持つものである。コードレス子機（コードレス式の子機）１０８は従来のものと同じものであり、このコードレス子機１０８の子機電話帳は、レコード番号、名前、電話番号の３情報を持つものである。親機電話帳のレコードの情報のうち、名前、電話番号の２情報は、無線通信部１０３を通してコードレス子機１０８の電話帳に転送され、共有されている。尚、親機電話帳と同様に、子機電話帳はコードレス子機１０８の図示しない記憶部に保存されている。
【００２５】
ＦＡＸ親機１００で、入力部１０２から電話帳に電子メールアドレスを新規に入力した場合、その電子メールアドレスを保存する同じレコード内の電話番号フィールドには、自動的に特殊な電話番号が割り振られ、保存される。この特殊な電話番号をもつレコードも、通常の電話番号同様、名前、電話番号の２情報が、無線通信部１０３を通して、コードレス子機に転送され、共有される。
【００２６】
ＦＡＸで送信したい原稿があれば、まず最初に送信したい原稿をＦＡＸ親機１００の読取部１０１でスキャンして、スキャンデータを記憶部１０６で保持しておく。そして、コードレス子機１０８の子機電話帳から、電子メールでＦＡＸを送信したい宛先を指定（例えば、コードレス子機に宛先を表示させ、送りたい宛先を選択）すると、通常の電話番号の形式とは異なる特殊な電話番号が、無線通信部１０３を通してＦＡＸ親機１００に転送される。ＦＡＸ親機１００は記憶部１０６に保存してある親機電話帳から、特殊な電話番号が保存されているレコードを検索し、そのレコード内にある電子メールアドレスフィールドの電子メールアドレスを取出すことで、特殊な電話番号からそれに対応した電子メールアドレスに変換する。ＦＡＸ親機１００は記憶部１０６で保持しているスキャンデータを添付ファイルとした電子メールを作成し、外部インタフェース部１０７のＬＡＮインタフェースより、取得した電子メールアドレス宛に電子メールを送信する。
【００２７】
このように、本願発明では、特殊な電話番号を変換することで、宛先の電子メールアドレスを得ているので、コードレス子機自体に変更を加えることなく、従来と同じコードレス子機から電子メールアドレスを指定して電子メールを送信することができるものである。
【００２８】
次に、本発明をより具体的に示す第１の実施の形態を、図１〜図７に基づいて説明する。
【００２９】
図１は、本発明の従来から使用しているコードレス子機からの電子メール送信を可能にするＦＡＸ親機の機能ブロック図である。
【００３０】
ＦＡＸ親機１００は、原稿をスキャンしてスキャン画を生成する読取部１０１と、親機に電話帳登録やパラメータ８０１の設定等の各種入力を行う入力部１０２と、コードレス子機との通信の制御とデータのやり取りを行う無線通信部１０３と、ファクシミリ装置全体の制御を行う制御部（処理部）１０４と、装置の状態やユーザ１１０のための情報を表示する表示部１０５と、ＦＡＸ親機１００の動作に関する各種設定データ、電話帳、スキャン画データ、動作ログ、音声データ等を記憶するための記憶部１０６と、ＰＳＴＮ（公衆交換電話網、Public Switched Telephone Networks）の捕捉、開放、終端と、ＬＡＮ（Local Area Network）の動作を制御する外部インタフェース部１０７とを有する。コードレス子機１０８は、電話帳から通信先の電話番号を指定し、親機と通信し、特定の相手に電話をかけ通話することのできる、従来と同様の子機システム１０９を有する。以上詳細に実施の形態の構成を述べたが、図１のコードレス子機１０８は、当業者にとってよく知られているため、上記説明以上の詳細な説明は省略する。
【００３１】
本発明のコードレス子機１０８からの電子メール送信を可能にするＦＡＸ親機１００の動作について、図１〜図７を用いて説明する。図２は、図１の記憶部１０６に保存される電話帳データを共有するための動作を示すシーケンス図である。図３は、本発明のコードレス子機からの電子メール送信を可能にするＦＡＸ親機の動作を示すシーケンス図である。図４は本発明のコードレス子機からの電子メール送信を可能にするＦＡＸ親機の動作を示すフローチャート図である。図５は、図１の記憶部１０６とコードレス子機１０８の記憶部（図示せず）に保存される電話帳データのフォーマットを示す図で、図６は図５の詳細な具体例で、図７は図６の６０１と６０３を説明する図である。
【００３２】
まず、図５で示す電話帳について、電話帳の詳細を示す図６と、特殊な電話番号について示した図７と、装置の構成を示すブロック図の図１とを用いて説明する。ＦＡＸ親機１００とコードレス子機１０８はそれぞれ別々に電話帳を持っている。ＦＡＸ親機電話帳５０１は複数の電話帳レコード５０２を格納しているデータベースである。
【００３３】
１件のレコード中身５０３はレコードナンバ、名前、電話番号、電子メールアドレスの４つのフィールドから成り、それぞれに対応する情報を１つずつ格納する。コードレス子機電話帳５０４も、ＦＡＸ親機電話帳５０１と同様に、複数の電話帳レコード５０５を格納しているデータベースである。コードレス子機電話帳５０４の１件のレコードの中身５０６はレコードナンバ、名前、電話番号の３つのフィールドから成り、それぞれに対応する情報を１つずつ格納する。ＦＡＸ親機電話帳５０１とコードレス子機電話帳５０４のレコードナンバは独立である。ＦＡＸ親機電話帳５０１の名前、電話番号の情報は、無線通信部１０３を通した電話帳データ転送によってコードレス子機電話帳５０４と共有している。
【００３４】
図６は電話帳に格納する情報の具体例を表している。例えば、ＦＡＸ親機電話帳５０１の１件のレコードはレコードナンバが“Ｎｏ．２”、名前が“アクセスタロウノメールアドレス”、電話番号が“＃＃＃＃０００１”（６０１）、電子メールアドレスが“ｔａｒｏ＠ＸＸＸＸ．ｃｏ．ｊｐ”（６０２）、という情報をそれぞれのフィールドに保存している。同様にコードレス子機電話帳５０４の１件のレコードは、レコードナンバが“Ｎｏ．３”、名前が“アクセスタロウノメール”、電話番号が“＃＃＃＃０００１”、という情報をそれぞれのフィールドに保存している。この電話番号は＃＃＃＃から始まる特殊な電話番号６０１で、上４桁の＃＃＃＃が特殊な電話番号であることを示し、下４桁が通し番号をあらわしている（図７参照）。この特殊な電話番号６０１は、ＦＡＸ親機電話帳５０１に入力部１０２より情報を登録する際、電子メールアドレス欄に情報を入力すると、ＦＡＸ親機１００が重複無く生成するものである。
【００３５】
次に、電話帳の登録と転送動作について、図２のシーケンス図に沿って説明する。
【００３６】
ユーザ（使用者）１１０は電子メール送信を開始する前に、事前に電子メールアドレスをＦＡＸ親機電話帳５０１に登録しておく必要がある。図２において、ユーザ１１０はＦＡＸ親機１００に入力部１０２から電子メールアドレスと名前を登録する（ステップ２０４、以下「ステップ」を「Ｓ」と記載する）。ＦＡＸ親機１００は、特殊な電話番号６０１とレコードナンバを重複無く生成し（Ｓ２０２）、親機電話帳レコードの該当フィールドに記録する（Ｓ２０３）。ユーザ１１０がＦＡＸ親機１００に対して、電話帳転送動作を開始させる（Ｓ２０４）と、ＦＡＸ親機１００はコードレス子機１０８に対して電話帳レコードの転送を開始する（Ｓ２０５）。このとき転送される電話帳データは名前と電話番号の２情報である。コードレス子機１０８は転送されてきた電話帳データを、子機電話帳に追加登録する（Ｓ２０６）。ＦＡＸ親機からの電話帳データ転送と、コードレス子機での電話帳データ登録が終了すると、コードレス子機からＦＡＸ親機に転送完了が通知され（Ｓ２０７）、ＦＡＸ親機はユーザ１１０に対して終了をアラームや表示器等で通知する（Ｓ２０８）。
【００３７】
電子メールアドレスの登録に関しては、以上であり、次に、送信動作の流れを、図３のシーケンス図と、図４のフロー図を用いて説明する。
【００３８】
ユーザ１１０は電子メール送信したい原稿を、読取部１０１でスキャンする。このとき、最高画質でスキャンされており、このスキャンデータは記憶部１０６へ一時的に記憶される（Ｓ４０２）。ユーザ１１０はコードレス子機３０２のコードレス子機電話帳５０４より、原稿を送りたい宛先を指定する（Ｓ３０１、Ｓ４０３）。
【００３９】
コードレス子機１０８は指定された宛先レコードの電話番号情報を、ＦＡＸ親機１００に通知する（Ｓ３０２）。ＦＡＸ親機１００は通知された電話番号をみて（Ｓ４０４）、通常の電話番号だった場合、通常のＦＡＸ送信処理を行う（Ｓ４０７）。
【００４０】
通知された電話番号が特殊な電話番号だった場合、ＦＡＸ親機１００はＦＡＸ親機電話帳５０１から該当する電話番号をサーチして、見つかった特殊な電話番号フィールド６０１と同レコード内に保存されているメールアドレス６０２を得ることで、特殊な電話番号６０１から電子メールアドレス６０２に変換する（Ｓ３０４、Ｓ４０５）。
【００４１】
ＦＡＸ親機１００は記憶部１０６に保存してある原稿スキャンイメージデータを添付して（Ｓ３０９）、電子メールデータを作成し（Ｓ４０６）、Ｓ４０５で得た電子メールアドレスを宛先にして、メールサーバ１１１に対して送信処理を行う（Ｓ３０６、Ｓ４０７）。送信処理完了後、ＩＰ（Ｉｎｔｅｒｎｅｔ  Ｐｒｏｔｏｃｏｌ）接続を終了する（Ｓ４０６、Ｓ４０７）。
【００４２】
尚、コードレス子機１０８から特殊な電話番号が通知され（ダイヤルされ）、この通知された信号をＦＡＸ親機１００が受信すると、その特殊な電話番号に対応した電子メールアドレスをＦＡＸ親機電話帳５０１の記憶部１０６から取出してファクシミリの宛先とする処理部は、制御部１０４にその処理部の機能を持つように設定しており、また、特殊な電話番号を自動的に割り振る機能も、この制御部１０４に設定している。更に、コードレス子機１０８に名前と電話番号の少くとも２情報を送信する送信部の機能は、無線通信部１０３に設けている。
【００４３】
このような本発明のファクシミリ装置及びファクシミリの送信方法によれば、コードレス子機１０８から特殊な電話番号がダイヤルされると、特殊な電話番号に対応した電子メールアドレスをＦＡＸ親機電話帳５０１の記憶部１０６から取出してファクシミリの宛先とするので、そのコードレス子機１０８を全く改造することなく、また、買い増ししたり、交換したりしたコードレス子機１０８からでも電子メールアドレス宛にファクシミリ送信を行うことができる。
【００４４】
また、本発明によれば、新規に電子メールアドレスを入力すると特殊な電話番号を自動的に割り振り、割り振られたこの特殊な電話番号と名前の２情報を子コードレス機に送信するため、特殊な電話番号をユーザ１１０が割り振る必要もなく、しかも、コードレス子機１０８に送信されているため、コードレス子機１０８からもその特殊な電話番号を、表示器（図示せず）で表示させ、選択することにより、共用し、利用することができる。
【００４５】
次に、本発明の第２の実施の形態として、特殊な電話番号の利用方法について、さらに工夫したものに関し、図１と、図２と、図４と、図７と、図８とを用いて説明する。尚、その基本的構成や動作は、第1の実施の形態の通りである。この第２の実施の形態について説明する図７は特殊な電話番号の電話番号形式を示す図で、図８は図７のパラメータ部分の詳細を示す図である。
【００４６】
電話帳の登録と転送動作について、図２のシーケンス図を参照して説明する。ユーザ１１０は電子メール送信を開始（Ｓ４０１）する前に、事前に電子メールアドレスを電話帳に登録しておく必要がある。図２において、ユーザ１１０はＦＡＸ親機１００に入力部１０２から電子メールアドレスと名前を登録（Ｓ２０１）し、電子メール送信時の画像の画質と、サイズの情報を入力する。ＦＡＸ親機１００は、画質とサイズの情報を、図８の変換テーブルより符号化し電話番号内に含め、特殊な電話番号７０１（図７参照）として重複無く生成する。
【００４７】
また、レコードナンバを重複無く生成し（Ｓ２０２）、ＦＡＸ親機電話帳５０１のレコードの該当フィールドにそれぞれ記録する（Ｓ２０３）。ユーザ１１０がＦＡＸ親機１００に対して、電話帳転送動作を開始させる（Ｓ２０４）と、ＦＡＸ親機１００はコードレス子機１０８に対して電話帳レコードの転送を開始する（Ｓ２０５）。このとき転送される電話帳データは名前と特殊な電話番号の２情報である。コードレス子機１０８は転送されてきた電話帳データを、子機電話帳に追加登録する（Ｓ２０６）。
【００４８】
ＦＡＸ親機からの電話帳データ転送と、コードレス子機での電話帳データ登録が終了すると、コードレス子機からＦＡＸ親機に転送完了が通知され（Ｓ２０７）、ＦＡＸ親機はユーザ１１０に対して終了を通知する（Ｓ２０８）特殊な電話番号７０１は、特殊な電話番号であることを示す上４桁の“＃＃＃＃”と、送信時画質をあらわす２桁の数、送信時サイズを表す２桁の数、通し番号の３桁の数の結合によって構成されている。送信画質と送信サイズをあらわすそれぞれ２桁の数は、図８のパラメータ８０１のような変換テーブルによって各画質、各サイズと対応付けられている。
【００４９】
すなわち、新規に電子メールアドレスをＦＡＸ親機電話帳５０１に登録する際に、送信するファクシミリの画質と送信サイズとを同時に登録するようにしている。
【００５０】
次に送信動作について、図３のシーケンス図と、図４のフロー図とを主に参照し、更に、図５〜図７を参照して説明する。ユーザ１１０は電子メール送信したい原稿を、最高画質かつ最大サイズで読取部１０１よりスキャンする。スキャンデータは記憶部１０６へ一時的に記憶される（Ｓ４０２）。ユーザ１１０はコードレス子機１０８のコードレス子機電話帳５０４より、原稿を送りたい宛先を指定する（Ｓ３０１、Ｓ４０３）。コードレス子機１０８は指定された宛先レコードの特殊な電話番号７０２を、ＦＡＸ親機１００に通知する（Ｓ３０２）。
【００５１】
ＦＡＸ親機１００は通知された特殊な電話番号７０１をみて（Ｓ４０４）、ＦＡＸ親機電話帳５０１から該当する電話番号をサーチして、見つかった特殊な電話番号フィールドと同レコード内に保存されているメールアドレスを得ることで、特殊な電話番号から電子メールアドレスに変換する（Ｓ３０８、Ｓ４０５）。特殊な電話番号７０１には、上述のように送信画像の画質、サイズのパラメータ８０１が含まれており、スキャンデータは送信前に、画質変換、サイズ変換が実行される。そして、ＦＡＸ親機１００は変換済み原稿スキャンイメージデータを添付して（Ｓ３０５）、電子メールデータを作成し（Ｓ４０６）、４０５で得た電子メールアドレスを宛先にして、メールサーバ１１１に対して送信処理を行う（Ｓ３０６、Ｓ４０７）。送信処理完了後、ＩＰ接続を終了する（Ｓ４０６）。
【００５２】
このように、この第２の実施の形態では、特殊な電話番号内に送信画像の画質、サイズを決定するパラメータ８０１を付加しているので、従来コードレス子機から送信画像の画質サイズ等のパラメータ８０１をユーザ１１０の希望により指定して電子メール送信ができるという効果が得られる。
【００５３】
すなわち、データ量を小さくして早く送りたい場合や、相手のメールボックスが小さいということがわかっている場合は、それに合わせた小さい容量で送ることができ、相手のメールボックスの容量が大きかったり、相手から精細なデータで送ってほしいと要望されたりした場合などは、データ容量が大きいまま送ることができ、使い勝手を向上させることや、ファクシミリ装置使用の自由度を向上させることができる。
【００５４】
本発明は、この実施の形態に限定されるものではなく、特殊な電話番号を別の電話番号形式としてもよい。また、本発明の実施の形態において、パラメータ８０１を変更、追加、一方を削除してもよい。
【００５５】
次に、本発明の第３の実施の形態として、コードレス子機１０８でＦＡＸ送信時に、その画質とサイズとを指定する方法に関して、図９を用いて説明する。尚、図９は本発明のファクシミリ装置で使用される特殊な電話番号の第３の実施の形態を示す説明図である。
【００５６】
この第３の実施の形態の特殊な電話番号９０１は、コードレス子機電話帳５０４で表示し選択する部分と、この部分に対しユーザが追加して操作し、指定する部分とから構成されている。
【００５７】
コードレス子機電話帳５０４で表示し選択する部分は、第１の実施の形態のもの（図７の特殊な電話番号６０１参照）と同じで、上４桁の“＃＃＃＃”と下４桁の通し番号とで構成されている。
【００５８】
この部分に対し、ユーザが追加して操作し、指定する部分は、コードレス子機１０８で画質とサイズとを指定することを示す上３桁の“＃＃＃”と、画質とサイズを指定する下４桁の部分とで構成されている。画質とサイズは、図８の変換テーブルを共用している。このため、図９に示す特殊な電話番号９０１の場合、変換後の画質とサイズは、１５０ｄｐｉ、６４０×４８０ドットのサイズである。
【００５９】
このように構成された第３の実施の形態について説明する。最初に、既にファクシミリの原稿データのスキャンは終わっているものとする。ユーザ１１０は、コードレス子機電話帳５０４を、その表示部（図示せず）に表示させ、選択する。そして、更に、画質とサイズをコードレス子機１０８側で指定することを示すために“＃＃＃”を押し、続けて画質やサイズを示す番号を、例えば“０１０２”と押す。すると、ＦＡＸ親機１００の制御部１０４で、予め保管されていたデータを、“０１０２”に対応する１５０ｄｐｉの画質、６４０×４８０ドットのサイズに変換し、特殊な電話番号９０１の電子メールアドレスに添付ファイルとして送信する。
【００６０】
このようなファクシミリ装置や送信方法を利用すると、コードレス子機１０８側からファクシミリ送信を行う際に、その送信する時にファクシミリ原稿データの画質及びサイズを指定することができるので、予め登録されたものではなく自由に指定でき、ファクシミリ装置を使用する自由度が広がり、更に、使いやすくなるものである。
【００６１】
また、詳細に説明しないが、第３の実施の形態のものに、更に、スキャンデータを複数件数保持できるようにすると共に、この保持しているスキャンデータをＦＡＸ送信時にコードレス子機１０８側で指定できるようにする機能を付加すると、使用する自由度がより増し、使い勝手が向上することが考えられる。
【００６２】
例えば、スキャンだけを複数件まとめて行っておき、その後、コードレス子機側１０８で、直近にスキャンした原稿をＡさんに、ある指定の画質とサイズとで送信し、また、直近より一つ前にスキャンした原稿をＢさんに、ある指定の画質とサイズとで送信したりすることができる。つまり、ＦＡＸ親機１００のところへ行ってＦＡＸ原稿だけを複数件まとめてスキャンして、ソファーに坐ってコードレス子機１０８を使用してまとめてＦＡＸ送信するようなことが可能になり、作業効率を向上させることも可能になる。
【００６３】
尚、本願では、特殊な電話番号を示すために「＃」を用いているが、他のボタンや、他のボタンとの組合せで特殊な電話番号を示すようにしても良く、設計者が任意に設定することができるのは勿論である。
【図面の簡単な説明】
【００６４】
【図１】本発明のファクシミリ装置の機能ブロック図である。
【図２】本発明のファクシミリ装置における電話帳データを共有するための動作を示すシーケンス図である。
【図３】本発明のファクシミリ装置の動作を示すシーケンス図である。
【図４】本発明のファクシミリ装置の親機の動作を示すフローチャートである。
【図５】本発明のファクシミリ装置の親機と子機との記憶部に保存される電話帳データのフォーマットを示す説明図である。
【図６】本発明のファクシミリ装置の親機と子機との電話帳データの詳細を示す説明図である。
【図７】本発明のファクシミリ装置で使用される特殊な電話番号の例を示す説明図である。
【図８】本発明のファクシミリ装置で使用されるファクシミリ原稿の画質やサイズを指定するパラメータ部分の詳細を示す説明図である。
【図９】本発明のファクシミリ装置で使用される特殊な電話番号の第３実施例を示す説明図である。
【符号の説明】
【００６５】
１００    ＦＡＸ親機（ファクシミリ装置の親機）
１０１    読取部
１０２    入力部
１０３    無線通信部
１０４    制御部（処理部）
１０５    表示部
１０６    記憶部
１０７    外部インタフェース部
１０８    コードレス子機（コードレス式の子機）
１０９    子機システム
１１０    ユーザ（使用者）
１１１    メールサーバ
５０１    ＦＡＸ親機電話帳
５０４    コードレス子機電話帳
６０１    特殊な電話番号
７０１    特殊な電話番号
８０１    パラメータ
９０１    特殊な電話番号
【図１】
2008079126.tif 000003
【図２】
2008079126.tif 000004
【図３】
2008079126.tif 000005
【図４】
2008079126.tif 000006
【図５】
2008079126.tif 000007
【図６】
2008079126.tif 000008
【図７】
2008079126.tif 000009
【図８】
2008079126.tif 000010
【図９】
2008079126.tif 000011